(57)【要約】  【課題】  書面、紙幣等、或いはその他の物品を収納する封筒に関し、封筒の一部を切取り可能にして受領書等の書面として使用でき、しかも直接印刷することができる封筒を提供することを課題とする。  【解決手段】  収納部２を形成すべく表面側の一片１ａ及び裏面側の他片１ｂにて袋状に形成された封筒本体１を具備する封筒において、前記一片１ａ又は他片１ｂの少なくともいずれか一片には、該いずれか一片の一部を所定形状の切取片９として切り取るための切取線８が形成され、且つ該切取線８は、複数の切込部１０と、該複数の切込部１０が連通して切取片９が封筒本体１から離脱するのを阻止すべく連設されている連設部１１とで構成されていることを特徴とする。【選択図】  図２
2006089105.tif 000002
【特許請求の範囲】
【請求項１】
収納部（２）を形成すべく表面側の一片（１ａ）及び裏面側の他片（１ｂ）にて袋状に形成された封筒本体（１）を具備する封筒において、前記一片（１ａ）又は他片（１ｂ）の少なくともいずれか一片には、該いずれか一片の一部を所定形状の切取片（９）として切り取るための切取線（８）が形成され、且つ該切取線（８）は、複数の切込部（１０）と、該複数の切込部（１０）が連通して切取片（９）が封筒本体（１）から離脱するのを阻止すべく連設されている連設部（１１）とで構成されていることを特徴とする封筒。
【請求項２】
切込部（１０）と、連設部（１１）との寸法比が、４：１〜２０：１である請求項１記載の封筒。  
【請求項３】
切込部（１０）が直線状に形成されている請求項１又は２記載の封筒。
【請求項４】
切込部（１０）が、直線部（１２）と、該直線部（１２）に対して所定角度を有するよう該直線部（１２）に連通して斜めに形成された斜線部（１３）とからなる鉤形状のものである請求項１又は２記載の封筒。
【請求項５】
斜線部（１３）の直線部（１２）に対する角度が１２０°〜１５０°である請求項４記載の封筒。
【請求項６】
切取線（８）が、直線状に形成された切込部（１０）と、直線部（１２）及び斜線部（１３）からなる鉤形状の切込部（１０）との双方を有して形成されている請求項３乃至５のいずれかに記載の封筒。
【発明の詳細な説明】
【技術分野】
【０００１】
本発明は、書面、紙幣等、或いはその他の物品を収納する封筒に関する。
【背景技術】
【０００２】
従来、例えば、書面等を収納する封筒は、表面及び裏面が貼着されて袋状に形成され、且つ開口部を封緘すべく封緘片が前記表面から延設されているものが一般的である。かかる封筒は、郵便物として使用される場合のみならず、現金等の貴重品を受け渡しする際などに使用される。
【０００３】
ところで、封書を書留等で郵送する際や現金等の重要なものを授受する際などには、別途に受領書、預かり書等の綴りに所定事項を書き込んで、その綴りから受領書等を剥ぎ取り相手方に渡すのが通例である。このように封筒と受領書が別々に必要であると不都合な場合も多い。
【０００４】
たとえば、書留等の場合、郵便局員は、差出人が封筒に記載した内容を受領書に所定内容を再度転記して差出人に渡し、しかも、郵便局内における整理等のため、同一内容が記載された書留郵便配達証を差し出された封筒に貼着する作業をするのであるが、一度差出人が封筒に記載した内容を再度転記することは無駄な労力であり、しかも前記配達証を封筒に貼着する作業も煩雑である。また、各業種の営業担当者は、予期せぬ時に顧客から証券、金銭等を受領し或いは預かることもあり、この場合、受領書や預かり書を携帯していなければ急場の措置として名刺等を仮の預かり書とするから顧客に不信感を与える。
【０００５】
一方、封筒の外側に予め受領書等の書面を貼着する手段を取れば、それを貼着した状態で封筒に所定事項を印刷しようにも一般の事務所等で用いられている印刷装置では貼着された書面が引っ掛かりうまく印刷できず、又、封筒の保管・携帯時等に何かに引掛かったりしてその書面が折れたりする等の問題点が新たに生ずる。
【０００６】
尚、受領書を具備した封筒に関する特許出願として、下記特許文献１のような出願もなされているが、この特許文献１に係る出願は、配送票付きの封筒であり、配送票の一部を受領書として剥離可能に形成したものにすぎない。このような配送票付きの封筒は、一般に存在する配送伝票と封筒を合体させたものであり、自ずから構造も複雑となる。
【０００７】
【特許文献１】特開平８−１９３２８７号公報
【発明の開示】
【発明が解決しようとする課題】
【０００８】
本発明は、上記のごとき従来の問題点に鑑みてなされたもので、封筒の一部を切取り可能にして受領書等の書面として使用でき、しかも直接印刷することができる封筒を提供することを課題とする。
【課題を解決するための手段】
【０００９】
本発明は、このような課題を解決するためになされたもので、請求項１記載の発明は、収納部２を形成すべく表面側の一片１ａ及び裏面側の他片１ｂにて袋状に形成された封筒本体１を具備する封筒において、前記一片１ａ又は他片１ｂの少なくともいずれか一片には、該いずれか一片の一部を所定形状の切取片９として切り取るための切取線８が形成され、且つ該切取線８は、複数の切込部１０と、該複数の切込部１０が連通して切取片９が封筒本体１から離脱するのを阻止すべく連設されている連設部１１とで構成されていることを特徴とする。
【００１０】
また請求項２記載の発明は、請求項１記載の封筒において、切込部１０と、連設部１１との寸法比が、４：１〜２０：１であることを特徴とする。さらに、請求項３記載の発明は、請求項１又は２記載の封筒において、切込部１０が直線状に形成されていることを特徴とする。さらに、請求項４記載の発明は、請求項１又は２記載の封筒において、切込部１０が、直線部１２と、該直線部１２に対して所定角度を有するよう該直線部１２に連通して斜めに形成された斜線部１３とからなる鉤形状のものであることを特徴とする。
【００１１】
さらに請求項５記載の発明は、請求項４記載の封筒において、斜線部１３の直線部１２に対する角度が１２０°〜１５０°であることを特徴とする。さらに、請求項６記載の発明は、請求項３乃至５のいずれかに記載の封筒において、切取線８が、直線状に形成された切込部１０と、直線部１２及び斜線部１３からなる鉤形状の切込部１０との双方を有して形成されていることを特徴とする。
【発明の効果】
【００１２】
上述のように、本発明に係る封筒は、表面又は裏面の少なくとも何れか一方の切取片を切取線に沿って切り取ることができるので、かかる切取片を受領書等として用いることができる。特に、切取片は封筒の表面又は裏面の一部からなり、その表面又は裏面には何も貼着されておらず平坦であるから、一般の印刷装置でも袋体の外側に所定事項を印字することができる。従って、封筒の使用者は切取片に自己の会社名等を印字して、受領書、預かり書等の種々の目的に切取片を利用することができる。
【００１３】
また、切込部と、連設部との寸法比が、４：１〜２０：１とされている場合には、切込部が長く、且つ連設部が該切込部に比して非常に短く形成されているので、切取片９の切取りも容易に行なえるという効果がある。
【００１４】
さらに、切込部が、直線状の直線部と、該直線部に対して所定角度を有するよう該直線部に連通して斜めに形成された斜線部とからなる鉤形状のものである場合には、切取片の切取りをスムーズに行なえるという効果がある。
【発明を実施するための最良の形態】
【００１５】
以下、本発明の実施形態について、図面に従って説明する。図１乃至図３に示すように、封筒本体１は、内部に収納部２を設けるべく、表面側の一片１ａと裏面側の他片１ｂとで袋状に形成され、後述する窓部を除いて全体が紙で構成されている。
前記封筒本体１の上方側には開口部３が設けられ、且つ表面側の一片１ａの上部が裏面側の他片１ｂの上部よりも延長されて封緘片５が延設されている。
【００１６】
封筒本体１の一片１ａ側の所定位置２箇所、及び封筒本体１の他片１ｂ側の所定位置１箇所には、図１及び図２に示すように窓部６が形成されている。この窓部６は、封筒本体１の一片１ａ及び他片１ｂに穴をくり抜き、その穴の部分に、窓部材７を貼着することによって形成されている。窓部材７としては、たとえば合成樹脂製フィルムや紙等を用いることも可能である。これらの窓部６は、略長方形状に形成されている。
【００１７】
封筒本体１の他片１ｂ側の所定位置には、切取線８が形成されている。この切取線８は、図２に示すように全体が略長方形状の輪郭を描いて形成されている。そして、この切取線８で包囲された部分が切取片９となる。また、この切取線８は、図４に示すように、複数の切込部１０と、該複数の切込部１０が連通して切取片９が封筒本体１から離脱するのを阻止すべく連設されている連設部１１とで構成されている。
【００１８】
また、この切込部１０としては、図５に示すような鉤形状の切込部１０と、図６に示すような直線状の切込部１０との２種類のものがあり、図４のように、切取線８の輪郭を形成する長方形のうちの一方の長辺及び短辺側には鉤形状の切込部１０が形成され、他方の長辺及び短辺側には直線状の切込部１０が形成されている。
【００１９】
鉤形状の切込部１０は、図５に示すように、直線部１２と、該直線部１２に対して所定角度（本実施形態では１３５°）を有するように斜めに形成された斜線部１３とからなり、直線部１２と斜線部１３とは同図のように連通して形成されている。
また、直線状の切込部１０は、図６に示すように直線部１２のみからなる。
【００２０】
また切込部１０は、連設部１１に比べて非常に長く形成されている。本実施形態では、直線状の切込部１０は、その切込部１０と連設部１１との寸法比が１４：１（長辺側）、又は１２：１（短辺側）に形成され、鉤形状の切込部１０は、その切込部１０と連設部１１との寸法比が９：１に形成されている。
【００２１】
さらに、長辺側に形成されている複数の鉤形状の切込部１０と、短辺側に形成されている複数の鉤形状の切込部１０との交点部分には、指が挿入可能で開封起点となるスリット１４が形成されている。
【００２２】
さらに、切取片９には、所定の文字、たとえば受領書、日付等が印字されている。
【００２３】
また封筒本体１の他片１ｂの内面側には、前記切取片９よりも大きな紙片からなる封止片１５が、接着剤を介して切取線８の外周縁近傍に貼着されている。かかる封止片１５によって切取片９が切り取られた際に、封筒本体１の表面に生ずる窓部は、閉塞されることとなる。
【００２４】
本実施形態の封筒は、製造前の状態においては、図７の展開図に示すように、
一片１ａと他片１ｂとが封筒本体１の底部を介して連設され、封緘片５は封筒本体１の一片１ａに連設され、さらに一片１ａの両側縁には、糊代片１６、１６が形成されている。      
【００２５】
そして糊代片１６、１６を折り曲げるとともに、他片１ｂを一片１ａ側に折り曲げ、且つその糊代片１６、１６を介して他片１ｂの側片部を一片１ａの側片部に接着することにより、図１乃至３のような封筒が製造されることとなる。
【００２６】
上記構成からなる封筒は、その切取片９を封筒本体１から切取線８に沿って切り取ることができる。従って、たとえば金銭の授受があった際に、受取人がその場で切取片９にサインし、切取片９を封筒本体１から切り取れば受領書となるので、従来のように、別途受領書を準備する必要がない。
【００２７】
さらに、前記切取片９は、封筒本体１の表面の一部であるから、封筒を製造する際、切取片９に所定事項を印刷できるので製造も容易である。加えて、封筒本体１の外側には何も貼着されず、通常の封筒と同様に外側は平坦であるが故に、封筒が製造された後に、表面に所定事項を印字することもできる。もちろん、切取片９は表面の一部であり、且つ切取線８の連設部１１にて接続されているので、通常の取扱いでは切取片９は不用意に脱落することもない。
【００２８】
尚、上記実施形態においては、封筒本体１の切取片９の部分における内面側には、封止片１５が貼着されているが、必ずしも封止片１５が設けられていなければならないわけではない。かかる封止片１５は、切取片９を切り取った後の袋体の密封性を保つためのものであり、密封性を保つ必要のないものに使用される場合は、必ずしも封止片１５は必要ではないからである。
【００２９】
また、上記実施形態においては、切取線８は封筒本体１の他片１ｂ側にのみ形成されているが、必ずしも他片１ｂ側に限定されず、一片１ａ側に形成されていてもよく、また両片１ａ、１ｂの双方に形成されていてもよい。
【００３０】
さらに、上記実施形態において、切取線８の輪郭は略長方形状であったが、必ずしもかかる形状に限定されず、任意形状の輪郭に形成してもよい。この場合、切取片９を複数に切取ることも可能である。すなわち、切取線８の形成態様によって切取片９も複数形成されることとなる。
【００３１】
また、切取片９の内面側又は封止片１５の外面側には、カーボンを塗布する或いは発色剤が具備されたノンカーボン複写紙を貼着する等の写し取り手段を設けてもよい。このようにカーボンを塗布する等の写し取り手段が設けられることにより、切取片９に所定事項を記入した際に、封止片１５にその内容が写し取られる、つまり、封筒にその記入事項が残ることとなる。
【００３２】
さらに、上記実施形態においては、切取線８が形成された位置は、１ケ所であったが、必ずしも１ケ所に限定されず、２ケ所或いは３ケ所以上でもよい。また、上記実施形態においては、切込部１０と連設部１１との寸法比が１４：１、１２：１、又は９：１に形成されていたが、切込部１０と連設部１１との寸法比は該実施形態に限定されるものではない。ただし、切取線８を介して切取片９を切り取る作業をスムーズに行なうためには、切込部１０と連設部１１との寸法比は４：１〜２０：１とされていることが好ましい。
【００３３】
さらに、上記実施形態においては、鉤形状の切込部１０と、直線状の切込部１０との双方を切取線８に具備させたが、いずれか一方の切込部１０のみを具備させて切取線８を構成することも可能である。また切込部１０の形状として鉤形状、直線状以外の形状のものを採用することも可能であり、切取作業に支障を生じさせないような形状のものであればよい。
【００３４】
さらに、上記実施形態においては、封筒の形態として横長のいわゆる洋封筒に適用する場合について説明したが、封筒の形態はこれに限らず、縦長のいわゆる和封筒に適用することも可能である。和封筒の展開状態は、図７の洋封筒のように糊代片１６、１６が設けられたような形態とは異なるものとなる。
【００３５】
さらに、上記実施形態では、開封起点となるスリット１４が切取線８の一部として形成されていたため、切取片９を切り取るための作業を容易に行なえるという好ましい効果が得られたが、このようなスリット１４を形成することは本発明に必須の条件ではない。
【産業上の利用可能性】
【００３６】
本発明の封筒は、書面、紙幣等を収納する封筒、その他の物品を収納する封筒等に広く適用することができる。
【図面の簡単な説明】
【００３７】
【図１】一実施形態としての封筒の正面図。
【図２】同背面図。
【図３】図１のＡ−Ａ線断面図。
【図４】切取線８の部分のみを拡大して示す平面図。
【図５】鉤形状切込部の形状を拡大して示す要部拡大平面図。
【図６】直線状切込部の形状を拡大して示す要部拡大平面図。
【図７】封筒の展開状態を示す正面図。
【符号の説明】
【００３８】
１…封筒本体              １ａ…一片
１ｂ…他片                ２…収納部
８…切取線                ９…切取片
１０…切込部              １１…連設部
１２…直線部              １３…斜線部
【図１】
2006089105.tif 000003
【図２】
2006089105.tif 000004
【図３】
2006089105.tif 000005
【図４】
2006089105.tif 000006
【図５】
2006089105.tif 000007
【図６】
2006089105.tif 000008
【図７】
2006089105.tif 000009